(57)【要約】【課題】  現実のメダル投入か擬似的投入かを確実に判別可能であり、ゴト具を用いた不正行為を防止又は抑制することができるメダルセレクターを提供すること。【解決手段】  常態においては遊技メダルの表裏面を押圧する方向に突出し、遊技メダルの通過時には突出方向と反対方向に移動可能な突出体23、及びこの突出体23の移動を検知して検知信号を出力する検知出力装置24を有するメダル検知部20、を少なくとも備え、前記突出体23は、下端部231がメダル通過面12aとほぼ一致又はメダル通過面12aよりも下方に位置するとともに、上端部232は前記メダル通過面12aから遊技メダルの直径の高さとほぼ一致又は遊技メダルの直径の高さよりも上方に位置し、その側方が前記メダル通路12を通過する遊技メダルの進行方向と交差するように設置されている。【選択図】    図１
2006025812.tif 000002
【特許請求の範囲】
【請求項１】
上方に形成されたメダル受け口から側方に形成されたメダル排出口に向かって、遊技メダルが起立状態で転送される下り傾斜部を有するメダル通路と、
前記下り傾斜部に設けられ、常態においては前記転送される遊技メダルの表裏面を押圧する方向に突出し、遊技メダルの通過時には突出方向と反対方向に移動可能な突出体、及びこの突出体の移動を検知して検知信号を出力する検知出力装置を有するメダル検知部、とを少なくとも備え、
前記突出体は、下端部が前記下り傾斜部のメダル通過面とほぼ一致又は前記メダル通過面よりも下方に位置するとともに、上端部は前記メダル通過面から遊技メダルの直径の高さとほぼ一致又は遊技メダルの直径の高さよりも上方に位置し、その側方が前記メダル通路を通過する遊技メダルの進行方向と交差するように設置されていることを特徴とするメダルセレクター。
【発明の詳細な説明】
【技術分野】
【０００１】
この発明は、遊技メダルを投入して遊技を行うメダル遊技機における、いわゆる「ゴト」と呼ばれる不正行為を防止可能なメダルセレクターと、それを用いた遊技機に関するものである。
【背景技術】
【０００２】
従来、この種の遊技機、例えばスロットマシンのメダル投入口は、上方から遊技メダルを投入するためのメダル投入スリットを有するメダル投入口が設けられており、スロットマシン内部には、メダル投入スリットから投入された遊技メダルを検出するためのメダルセンサが設けられている。このメダルセンサは、遊技メダルの通過を検知する光センサであり、複数のセンサを所定距離離して並べて設置することにより、双方のセンサの検知間隔を制御装置が監視してメダルの通過によらないセンシングを発見できるように形成されていた（特許文献１参照）。
【特許文献１】特願２００２−３３６４１６号公報（段落００３４）
【発明の開示】
【発明が解決しようとする課題】
【０００３】
ところが、近年、先端部に発光体を取り付けたゴト具をメダル投入スリットから差し込み、発光体をメダルセンサの位置に合わせて遊技メダルの通過によるタイミングと同じように点滅させ、遊技メダルの擬似的投入を行うという悪質な不正行為が行われるようになった。このようなゴト具に対抗するため、突出体の押入、突出により物理的にメダルの通過を検知する物理的センサを用いてメダルを検知することが考えられる。
しかし、従来の物理的センサのように、突出体をメダル通路の一部に形成しただけでは、図７に示すようなゴト具100を使用することで、簡単に疑似投入を行うことができてしまう。すなわち、このゴト具100は、メダルセンサを反応させる発光体110を有するとともに、本体に設けた開口部を移動可能な可動体130と、発光体110と可動体130の発光及び移動を制御するＲＯＭが組み込まれた操作部120を有している。そして、操作部120をメダル投入スリットから露出させたまま本体をメダル投入スリットから差し込んで、メダルセンサの位置で発光体110を点滅させつつ、可動体130を移動させることにより突出体25を押入、突出させて、あたかもメダルが投入されたかのような信号を発生させるものである。
【０００４】
そこで、本発明は、かかる問題点に鑑みてなされたものであり、その目的とするところは、現実のメダル投入か擬似的投入かを確実に判別可能であり、ゴト具を用いた不正行為を防止又は抑制することができるメダルセレクターを提供しようとするものである。
【課題を解決するための手段】
【０００５】
各請求項に記載された発明は、上記した目的を達成するためになされたものであり、本発明の特徴点を図面に示した発明の実施の形態を用いて、以下に説明する。
なお、符号は、発明の実施の形態において用いた符号を示し、本発明の技術的範囲を限定するものではない。
（特徴点）
（請求項１）
請求項１記載の発明は、上方に形成されたメダル受け口(13)から側方に形成されたメダル排出口(14)に向かって、遊技メダルが起立状態で転送される下り傾斜部(12A)を有するメダル通路(12)と、前記下り傾斜部(12A)に設けられ、常態においては前記転送される遊技メダルの表裏面を押圧する方向に突出し、遊技メダルの通過時には突出方向と反対方向に移動可能な突出体(23)、及びこの突出体(23)の移動を検知して検知信号を出力する検知出力装置（移動検知部24）を有するメダル検知部(20)、とを少なくとも備えたメダルセレクター(1)に係る。
【０００６】
本発明に係るメダルセレクター(1)は、遊技機のメダル投入口(50)の下方などに設けられるものであり、遊技メダルが移送される経路（メダル通路(12)）の途中に設けられたメダル検知部(20)により、投入された遊技メダルの通過を検知し、適正な遊技メダルを遊技機内部に移送するためのものである。従って、メダルセレクター(1)としては、例えば直径の異なる遊技メダルをメダル通路(12)から排除したり、遊技機がメダル受付状態にない場合に投入メダルをキャンセルする装置を有していてもよい。
ここで、前記メダル通路(12)は、遊技メダルが起立状態で通過可能な通路であり、例えばメダル受け口(13)からメダル排出口(14)に連通する断面薄型長方形の空間とすることができる。メダル通路(12)としては、前記下り傾斜部(12A)の他に、例えばメダル受け口(13)から受け入れた遊技メダルが下方に落下する垂直落下部を有していてもよい。
【０００７】
またここで、遊技メダルが「起立状態」とは、遊技メダルの表裏面が前後方向となる状態のことである。従って、遊技メダルは、側面（円周面）が前記下り傾斜部(12A)を転がるようにして転送されるものである。
前記メダル検知部(20)は、遊技メダルの通過を物理的に検知する物理的検知手段であって、例えばバネなどにより突出方向に付勢された突出体(23)がメダル通路(12)の側壁から突出しており、遊技メダルが突出体(23)の在る位置を通過するときに、遊技メダルの側面及び表裏面が前記突出体(23)に当接してこれを壁内に押入し、その移動を検知出力装置(24)が検知して、遊技メダルの通過を検出するように形成されているものである。なお、メダルセレクター(1)としては、上記物理的検知手段の他に、遊技メダルの通過を光線の遮蔽や磁界の変化に基づいて検知する電磁的検知手段を有していてもよい。また、複数の物理的検知手段を有していてもよい。さらに、同種のあるいは異種類の複数の検知手段により、メダル検知部(20)が構成されていてもよい。
【０００８】
なお、メダルセレクター(1)としては、前記検知出力装置(24)の検知信号を含むメダル検知部(20)による検知信号を受信し、当該信号と予め記憶された検知態様と比較することにより、正常な検知信号か否かを判断し、所定の出力信号（例えば投入信号やエラー信号）を出力可能な制御装置を有していてもよい。
そして、本発明では、前記突出体(23)は、下端部(231)がメダル通過面12aよりも下方に位置するとともに、上端部(232)は前記メダル通過面(12a)から遊技メダルの直径の高さとほぼ一致又は遊技メダルの直径の高さよりも上方に位置し、その側方が前記メダル通路(12)を通過する遊技メダルの進行方向と交差するように設置されていることを特徴とする。
【０００９】
ここで、「メダル通過面(12a)」とは、下り傾斜部(12A)を通過する遊技メダルの外周面が接する面のことである。そして、「突出体(23)の下端部(231)がメダル通過面(12a)とほぼ一致」とは、下端部(231)がメダル通過面(12a)と接触・非接触を問わず同一面上に位置している場合や、メダル通過面(12a)よりも僅かに上方にある場合を含む。同様に、「上端部(232)は前記メダル通過面(12a)から遊技メダルの直径の高さとほぼ一致」とは、突出体(23)の上端部(232)が、メダル通過面(12a)から遊技メダルの直径寸法と同じだけ上方に離れた位置にある場合や、当該位置よりも僅かに下方にある場合を含む。また、「その側方が・・・進行方向と交差するように設置」とは、例えば突出体(23)の側面が、遊技メダルの進行方向と直交するように、突出体(23)が配置されている場合を含む。
【００１０】
すなわち、本発明における突出体(23)は、例えば略直方体形状の縦長のブロック部材とすることができ、下り傾斜部(12A)における遊技メダルの通過部（遊技メダルの移動する軌跡）の上下幅ほぼ全体にわたって設けられているものである。
なお、遊技メダルの当接により、突出体(23)がスムーズに反突出方向に移動することができるよう、突出体(23)の少なくともメダル受け口側の側面に面取り部(23c)を設けると好ましい。さらに、遊技メダルが連なって（隣接する遊技メダルの側面どうしが接している状態で）メダル通路(12)を転送される場合でも、遊技メダル一枚一枚の通過を検知可能とするため、突出体(23)の突出側に、側面から見て中央部が凹んだ円弧状の凹部(23a)を形成すると好ましい。
【００１１】
（作用）
本発明によれば、突出体(23)がメダル通路(12)の遊技メダル通過部分の幅全体にわたって設けられているので、例えば図７に示すような可動部130を備えたゴト具をメダル通路(12)内に挿入すると、突出体(23)が押入されたままになる。このため、検知出力装置(24)の検知態様が通常のメダル通過とは異なるものとなる。
本発明においては、本発明に係るメダルセレクター(1)を装備した遊技機の制御装置において、あるいはメダルセレクター(1)に設けた制御装置において、検知出力装置(24)の検知態様を監視することにより、現実のメダル投入か、ゴト具を用いた擬似的投入かを識別することができる。例えば、通常のメダル投入では、遊技メダルが突出体(23)を通過する度に検知出力装置(24)が検知信号（例えばＯＮ、ＯＦＦ交互に繰り返す）を出力するが、検知出力装置(24)が継続的に検知信号（例えばＯＮ信号のみ）を出力している場合には、メダル通路(12)内部に異物が挿入されていると判断することができる。このような場合には、遊技機において所定の警報を発するなどして、異常を報知することにより、ゴト具を用いた疑似投入を抑制することができる。
【００１２】
あるいは、検知出力装置(24)で突出体(23)の移動距離を検知し、その波形に異常が見られた場合には、その検知は通常のメダル通過によるものでないと判断し、検知信号をメダル投入信号として扱わず、遊技が行えないようにすることもできる。
なお、本発明の突出体(23)及び検知出力装置(24)の他に、他の物理的センサ、あるいは電磁センサを設け、複数種類のセンサの検知信号の整合性を監視することにより、正規のメダル投入かゴト具を用いた疑似投入かを判定するようにしてもよい。
【発明の効果】
【００１３】
本発明は、以上のように構成されているので、現実のメダル投入か擬似的投入かを確実に判別可能であり、ゴト具を用いた不正行為を防止又は抑制することができるメダルセレクターを提供することかできる。
【発明を実施するための最良の形態】
【００１４】
本発明の好適な実施の形態を、スロットマシンを例に図面に基づき説明する。
（図面の説明）
図１乃至図６は、本発明の実施の形態を示すものである。
図１はメダルセレクターの背面図、図２はスロットマシンの外観正面図、図３はメダルセレクターの横断面図、図４はメダルセレクターの縦断面図、図５は突出体23の斜視図をそれぞれ示すものである。また、図６は、メダルセレクターの他の例を示す背面図である。
（スロットマシンＳ）
スロットマシンＳは、図２に示すように、箱状の筐体２を有し、この筐体２の正面には前扉４が取り付けられている。また、筐体２の内部には、回転リール30を備えたリールユニット３と、特に図示しないが、スロットマシンＳの全体の作動を制御するための制御装置と、遊技メダルを貯留すると共に払い出すためのホッパーユニット５が内蔵されている。
【００１５】
前扉４は、遊技者側に向かって臨む表示窓が形成されている板状の扉であり、表示窓中央上側には三個の回転リール30の図柄を見ることができる図柄表示窓46が形成されている。そして、図柄表示窓46の下方であり前扉４の略中央部は、スロットマシンＳを作動させるための操作手段が設けられたカウンター様の操作部40となっている。また、前記前扉４の下部には、払い出しメダルを貯留するメダル受け皿45が形成されている。
前記操作部40の正面には、回転リール30の回転を開始させるためのスタートスイッチ41、各回転リール30に対応して設けられ回転リール30の回転を停止させるためのストップスイッチ42が、また操作部40の上面左側には、クレジットとして貯留されているメダルをメダル投入に代えるためのベットスイッチ43、貯留メダルを払い戻すための精算スイッチ44がそれぞれ設けられている。そして、操作部40の右側には、遊技メダルを投入するためのメダル投入口50が形成されており、このメダル投入口50の下方には、メダルキャンセルボタン60が設けられている。
【００１６】
さらに、メダル投入口50の下方であって、前扉４の裏面側（筐体内側）には、メダル投入口50から投入された遊技メダルを選別、カウントし、適正な遊技メダルをホッパーユニット５に移送するためのメダルセレクター１が設けられている。なお、前記メダルキャンセルボタン60は、メダルセレクター１内部の遊技メダルをキャンセルしてメダル受け皿45に払い戻すためのものである。
そして、前記図柄表示窓46の下方には、貯留メダルの枚数を表示するためのクレジット表示部47が設けられている。ここで、クレジットとは、メダル投入口50から投入されメダルセレクター１を通過した遊技メダル、又は入賞により払い出される遊技メダルを遊技機内部に貯留することであり、スロットマシンＳは、最大５０枚まで、クレジット可能に形成されている。具体的には、メダル投入口50から遊技メダルを投入すると、あるいはメダル払い出しを伴う当選役が入賞すると、クレジット表示部47の表示が加算され、ベットスイッチ43を操作すると当該表示が減算されるようになっている。なお、クレジット表示部47の表示が５０になると、それ以降の投入メダルはメダルセレクター１でキャンセルされてメダル受け皿45に払い戻され、また入賞による払い出しメダルはホッパーユニット５からメダル受け皿45に払い出される。
【００１７】
そして、スロットマシンＳは、遊技メダルの投入、又は遊技メダルがクレジットされている場合にはベットスイッチ43の操作を条件に、スタートスイッチ41の操作が有効となり、スタートスイッチ41の操作により三個の回転リール30が一斉に回転開始する。そして、ストップスイッチ42を操作して各回転リール30を停止させ、全ての回転リール30が停止したときに図柄表示窓46から視認できる図柄が、所定の入賞態様となった場合に入賞となり、遊技メダルが払い出されたり、有利な遊技が開始されたりするように形成されている。
（メダルセレクター１）
次に、メダルセレクター１について詳述する。
【００１８】
メダルセレクター１は、図２に示すように、メダル投入口50の下方に設けられた箱状の部材であり、図３及び図４に示すように、ベース10と、ベース10に取り付けられたカバー11とからなり、カバー11が背面側（スロットマシンＳを正面から見た場合の奥側）となるよう、前扉４の裏面に取り付けられている。また、図１に示すように、メダルセレクター１の上面には、メダル投入口50から投入された遊技メダルを受け入れるためのメダル受け口13が形成されており、側方には、メダル通路12を通過したメダルが排出されるためのメダル排出口14が設けられている。そして、ベース10とカバー11の間には、前記メダル受け口13からメダル排出口14まで連通するメダル通路12が形成されており、さらに、メダル通路12には、ブロッカー装置15及びメダル検知部20が設けられている。
【００１９】
メダル通路12は、遊技メダルをホッパーユニット５へと誘導するための通路であり、図１に示すように、上方から投入された遊技メダルを側方に誘導するように湾曲し、メダル排出口14に向かって下り傾斜部12Aを形成している。
ブロッカー装置15は、メダルセレクター１内部の遊技メダルをホッパーユニット５に移送させないための遊技メダルのキャンセル装置であって、図１及び図４（Ａ）に示すように、ソレノイド（図示せず）により連動して作動するブロッカーと呼ばれる突出爪151及び係止片152を有している。そして、通常時には、図４（Ａ）に実線で示すように、突出爪151がメダル通路12の表面から突出せず、かつ係止片152の下端部152aが起立状態の遊技メダルの上端を外側（カバー11側）から係止している。一方、カバー11には、その下端部がメダル移送路12の傾斜部12Aよりも上側となるような開口部11a（図１参照）が設けてあり、開口部11aの下端部と係止片152とにより、遊技メダルＭがメダル通路12から落下することなく通過できるようになっている。なお、小径メダルが投入された場合には、メダル上端部が係止片152から外れるので、開口部11aから落下する。
【００２０】
しかし、クレジット超過など所定時には、ソレノイドが作動して、図４（Ａ）に二点鎖線で示すように、突出爪151をメダル通路12の表面から突出させるとともに、係止片152の下端部152aが遊技メダルＭの上端から離れる方向に移動するので、遊技メダルＭは後述するメダル検知部20の通過センサ21に検出される前に、メダル通路12からはじかれて、カバー11の開口部11aから落下するものである。落下した遊技メダルＭは、前扉４の正面下部に形成されたメダル排出口から排出され、メダル受け皿45に払い戻されるようになっている。
上記ブロッカー装置15でキャンセルされなかった遊技メダルは、通過センサ21により検知されて、メダル排出口14から排出される。そして、メダルセレクター１の側方に取り付けられた移送部16（図１参照）を通って、ホッパーユニット５のメダルタンクに落下する。
【００２１】
なお、メダルセレクター１には、特に図示しないが、メダルキャンセルボタン60の操作により、メダル通路12内の遊技メダルを下方に落下させるためのキャンセル装置が設けられている。このキャンセル装置は、前記ブロッカー装置15とは別のメダルキャンセル手段であって、手動で投入メダルをキャンセルするもので、特にメダル詰まりの解除の場合に使用するものである。
（メダル検知部20）
メダル検知部20は、メダル通路12を通過する遊技メダルを検知するためのセンサでありる。本実施の形態においては、メダル検知部20として、図１に示すように、電磁的検知手段である通過センサ21と、物理的検知手段である移動センサ22が設けられている。通過センサ21は、ブロッカー装置15よりも下流（メダル排出口14側）に設置されている。また、移動センサ22は、メダル通路12の下り傾斜部12Aであって、通過センサ21よりも上流（メダル投入口50側）に設置されている。
【００２２】
通過センサ21は、遮光センサ又は磁気センサであって、遊技メダルの外縁部付近を検知して、ＯＮ、ＯＦＦの波形によりメダル一枚一枚の通過を認識可能に形成されている。そして、メダル検知信号をスロットマシンＳの制御基板に出力して、投入された遊技メダルの数をカウントするためのものである。
移動センサ22は、図３及び図４（Ｂ）に示すように、メダル通路12から突出する突出体23を有するリミットスイッチである。そして、メダル検知信号を制御基板に出力して、前記通過センサ21のメダル検知信号との整合性や、検知時間などの検知態様を監視することにより、ゴト具などを用いた遊技メダルの疑似投入を察知するためのものである。
【００２３】
具体的には、移動センサ22は、ベース10の正面側（スロットマシンＳを正面から見た場合の手前側）に設けたハウジング22A内に、バネ及び移動検知部24が設けられていると共に、前記ハウジング22Aからメダル通路12に突出する側面弓形の縦長の突出体23を有している。
前記移動検知部24は、フォトセンサや接触センサなど、突出体23の移動を検知するためのものである。そして、遊技メダルがメダル通路12を通過する際、バネにより常時メダル通路12側に付勢されている突出体23が、遊技メダルの円周面及び表裏面でハウジング22A内に押し戻されることにより通電し、又は通電が遮断され、それをメダル検知信号として出力可能に形成されているものである。
【００２４】
（突出体23）
ここで、前記突出体23は、図１に示すように、縦方向の長さが、遊技メダルＭの直径よりも大きく形成されているとともに、その下端部231がメダル通過面12a（通過する遊技メダルの外周面が接する面）とほぼ一致し、側面が遊技メダルＭの進行方向（メダル排出口14に向かう方向）に対して直角となるように配置されている。また、突出体23の上端部232は、メダル通路12のメダル通過幅（遊技メダルＭが移動する軌跡の上下方向の長さ。遊技メダルの直径と同じ）よりも上方に位置している。すなわち突出体23は、遊技メダルＭが通過する幅部分のほぼ全体にわたって設けられているものである。
【００２５】
また、突出体23は、図４（Ｂ）に示すように、本体の背面側すなわち突出側に、円弧状に削り取られた凹部23aが形成されており、図３及び図５に示すように、側面上流側（すなわち遊技メダルＭが当接する側）の側縁部には面取り部23cが形成されている。そして、前記凹部23aの中央部は、ほぼ遊技メダルＭの中心と一致するようになっているとともに、凹部23aの突端部23b,23b'は、ほぼ遊技メダルＭの上下端部と一致するようになっている。そして、突出体23は、突端部23b,23b'がメダル通路12の厚みとほぼ一致する位置まで突出可能であり、その位置においてストッパー233によりハウジング22Aから飛び出さないように係止される。
【００２６】
なお、前記面取り部23cは、突出体23の両側面に形成しても良いが、上記したようにメダル受け口13から受け入れられた遊技メダルが当接する方向に設けることにより、メダルの逆流や、ゴト具を用いた疑似投入を阻止するのに効果的である。例えば凹部23aの最も凹んだ部分に棒状のゴト具本体を位置させ、この本体の上下に、横方向に移動させることにより突端部23b,23b'を押入可能な可動体を備えたようなゴト具を使用した場合であっても、可動体がメダル進行方向に移動するときには突端部23b,23b'を押入させることができるが、逆方向に移動するときには突端部23b,23b'に引っかかるので、突出体23をスムーズに移動させることができず、正常な検知信号を発生させられない。
【００２７】
（移動センサ22によるメダル検知）
次に、上記構成を有する移動センサ22の作用を説明する。
通常時においては、図４（Ｂ）に実線で示すように、突出体23は、メダル通路12に突出している。このとき、移動検知部24は、突出体23の移動を検知していない。次に、メダル通路12を遊技メダルＭが通過する場合には、まず遊技メダルＭの中央端部が突出体23に近接する（図１におけるＭ１参照）。しかし、突出体23には凹部が形成されており、この状態では凹部23aの中央部と遊技メダルＭの中央側端部は接触しないので、突出体23は移動しない。
【００２８】
さらに遊技メダルＭが進行方向に移動すると、遊技メダルＭの中央側端部よりも上下の側端部が、突出体23の突端部23b,23b'の近傍の面取り部23cに接触する。そして、遊技メダルの進行に伴い、メダル側端角部が面取り部23cを押圧するにつれて突出体23をハウジング22A内側に押し込んでいく。そして、遊技メダルＭの中心が突出体23を通過するとき（図１におけるＭ２参照）、遊技メダルＭの上下端部が突出体23の突端部23b,23b'に接触し、図４（Ｂ）に二点鎖線で示すように、突出体23をメダル通路12の表面付近まで移動させる。このとき、移動検知部24が突出体23の移動を検知する。遊技メダルＭが突出体23の位置を通過すると、突出体23はバネの付勢力により、メダル通路12のもとの突出位置まで押し戻される。
【００２９】
このように、移動センサ22は、図５のように形成された突出体23によって、一枚のメダルの直径部分の通過時に移動検知部24が反応するようになっているので、図１に示すように、遊技メダルが並列して連なってメダル通路12を転送される場合でも、遊技メダルＭの通過を一枚ずつ検知することができるのである。
さて、上記通過センサ21及び移動センサ22の二種類のセンサの検知信号は、それぞれスロットマシンＳの制御装置に送信される。一方、制御装置では、二種類の検知信号の双方を受信した場合に、遊技メダルの通過を認識するように形成されている。例えば通過センサ21からの信号のみを受信した場合や、移動センサ22からの信号のみを受信した場合には、遊技メダルのカウントを行わない。従って、かかるどちらか一方だけの検知信号によっては、メダルが投入されたとみなされずに遊技を行うことができず、またクレジット表示部47の表示も加算されない。
【００３０】
さらに、制御装置では、送信されてきた検知信号に異常を確認した場合には、所定の警告を発するなどの処置を行うように設定されている。例えば、メダル投入口50から、図７に示すようなゴト具100を挿入した場合、ゴト具100の上下端部が突出体23の突端部23bに接触したままとなり、移動検知部24が検知信号を発信し続けることとなる。このような場合には、メダルカウントを行わないと共に、警報を発するようにすることができる。また、通過センサ21からの検知信号と移動センサ22からの検知信号が、予め設定された所定のタイミングと異なる不自然なタイミングで入力されたような場合には、ゴト具が使用されている可能性があるので、所定の報知を行うようにしてもよい。
【００３１】
なお、上記検知信号の監視を、メダルセレクター１に設けた制御装置にて行うようにしてもよい。この場合には、メダルセレクター１の制御装置が、検知信号に基づいて正常なメダル通過か否かを判断し、正常なメダル通過と判断した場合には、遊技機の制御装置にメダル投入信号を出力する。一方、正常なメダル通過でないと判断した場合には、遊技機の制御装置にメダル投入信号を出力しないようにしたり、エラー信号を出力したりすることができる。
このように、本実施の形態によれば、異なる種類のセンサを併用してメダル検知を行うようにしたとともに、メダル通路12のメダル通過部分の、幅全体にわたって突出する突出体23で遊技メダルを検知するようにしてあるので、ゴト具を入れたまま通過センサ21を反応させようとしても、移動センサ22によりゴト具の存在が発覚するので、ゴト具による遊技メダルの擬似的投入を困難にし、実際には遊技メダルを投入していないのにクレジット表示のみを加算させて、そのまま精算スイッチ44で遊技メダルを払い戻して不正にメダルを獲得するという悪質な不正行為を防止又は抑制することができるのである。
【００３２】
ところで、前記移動センサ22の突出体23は、図６に示すように、分割してあってもよい。この場合には、突出体23A、突出体23Bのそれぞれに移動検知部24を設け、突出体23A,23Bの双方が移動検知された場合に正常なメダル通過として扱い、突出体23A,23Bの双方あるいはいずれかが、検知されっぱなしになっている場合には、メダル通路12内にゴト具などの異物が挿入されているものと判断することができる。
また、特に図示しないが、突出体23を三つに分割してもよい。すなわち、図６において二点鎖線で示したように、突出体23Bの下方を短く形成し、ここに突出体23Aと同様の突出体23Cを設けるものである。このように形成した場合には、通常のメダル通過では突出体23A、23B、23Cのすべての移動が検知され、メダルが連続して通過する場合でも、突出体23A、23Cは少なくとも移動検知される。しかし、上下端の突出体23A、23Cが検知されっぱなしになっている場合や、突出体23A、23Cの移動が検知されていないのに突出体23Bが検知されっぱなしになっている場合には、メダル通路12内にゴト具などの異物が挿入されているものと判断することができる。この場合、例えばメダル３枚が通過する程度の時間が過ぎても、突出体23の移動が検知され続けているときには、メダルの通過に因らない検知として、エラー警告を行うようにしてもよい。
【００３３】
なお、突出体23は、図６に示したように不等分に分割してあってもよいし、等分割してあってもよい。
また、上記実施の形態では、突出体23が遊技メダルの進行方向と直交するように設置してあるが、突出体23の側面（長辺）が遊技メダルの進行方向と交わるよう配置されるのであれば、必ずしも直交していなくともよい。例えば、突出体23の上側がメダルの進行方向側に傾斜するように取り付ければ、遊技メダルとの接触による突出体23の押入がスムーズになり、突出体23付近でのメダル詰まりを防ぐことができる。
さらに、凹部23aの湾曲率を調整して、移動検知部24に突出体23の押入深さ（移動距離）を検知させ、その波形を監視することにより、棒状など幅の狭い異物が挿入されている場合でも移動検知部24が継続検知状態となるようにすることができる。
【００３４】
なお、本願発明においては、メダル検知部20として、移動センサ22のみを設けたものとしてもよい。ただ、ゴト防止の万全を期すため、通過センサ21と移動センサ22を併用することが望ましい。
【図面の簡単な説明】
【００３５】
【図１】本発明の実施の形態であって、メダルセレクターの背面図である。
【図２】本発明の実施の形態であって、スロットマシンの外観正面図である。
【図３】本発明の実施の形態であって、メダルセレクターの横断面図である。
【図４】本発明の実施の形態であって、メダルセレクターの縦断面図である。
【図５】本発明の実施の形態であって、突出体の斜視図である。
【図６】本発明の他の実施の形態であって、メダルセレクターの背面図である。
【図７】従来のメダルセレクターとゴト具を示す概略図である。
【符号の説明】
【００３６】
Ｓ  スロットマシン                  １  メダルセレクター
２  筺体                            ３  リールユニット
４  前扉                            ５  ホッパーユニット
10  ベース                          11  カバー
12  メダル通路                     12A  下り傾斜部
12a  メダル通過面
13  メダル受け口                    14  メダル排出口
15  ブロッカー装置                  16  移送部
20  メダル検知部                    21  通過センサ
22  移動センサ                      23  突出体
24  移動検知部（検知出力装置）      25  突出体
30  回転リール
40  操作部                          41  スタートスイッチ
42  ストップスイッチ                43  ベットスイッチ
44  精算スイッチ                    45  メダル受け皿
46  図柄表示窓                      47  クレジット表示部
50  メダル投入口                    60  メダルキャンセルボタン
100  ゴト具                         110  発光体
120  操作部                         130  可動体
【図１】
2006025812.tif 000003
【図２】
2006025812.tif 000004
【図３】
2006025812.tif 000005
【図４】
2006025812.tif 000006
【図５】
2006025812.tif 000007
【図６】
2006025812.tif 000008
【図７】
2006025812.tif 000009